(57)【特許請求の範囲】
【請求項１】
無線タグと、複数の携帯端末と、管理装置とを備え、
前記無線タグは、見守り対象物に装着され、一意に識別可能な識別子を含む近距離無線信号を発信し、
前記複数の携帯端末は、前記無線タグから発信された近距離無線信号を受信して、前記近距離無線信号に含まれる識別子と、前記管理装置から送信され、捜索対象として指示された見守り対象物に対応付けて記憶された識別子とが一致することを判定し、
前記管理装置は、前記捜索対象として指示された見守り対象物に対応付けられた識別子を送信する携帯端末を、前記見守り対象物に装着した前記無線タグの配布先に基づいて、前記複数の携帯端末から選択する選択手段を有し、前記捜索対象として指示された見守り対象物に対応付けられた前記識別子を前記選択された携帯端末に送信し、前記選択された携帯端末による判定結果に基づいて、前記無線タグの識別子と前記無線タグが装着された前記見守り対象物とを関連付けて管理する、
見守りシステム。
【請求項２】
前記管理装置は、前記無線タグの識別子と、前記無線タグが装着された前記見守り対象物の情報と、前記見守り対象物に装着した前記無線タグの配布先と、捜索対象として指示されたことを示す情報と、を関連付けて格納するデータベースを有する請求項１に記載の見守りシステム。
【請求項３】
前記管理装置は、
配布される前記無線タグから送信された一意に識別可能な識別子を含む近距離無線信号を受信する近距離無線受信手段と、
前記見守り対象物に装着すべき前記無線タグの配布先を撮像する撮像手段と、
をさらに有し、
前記データベースは、前記無線タグの識別子と前記配布先とを対応付けて格納する請求項２に記載の見守りシステム。
【請求項４】
前記管理装置は、
前記携帯端末が一致したと判定した識別子に対応する前記捜索対象として指示された見守り対象物を、捜索者に通知する第１通知手段と、
前記第１通知手段による通知後に、前記捜索対象として指示されたことを示す情報を前記データベースから削除する第１削除手段と、
をさらに備える請求項２または３に記載の見守りシステム。
【請求項５】
前記携帯端末は、
一致したと判定した識別子に対応する前記捜索対象として指示された見守り対象物の情報を、前記携帯端末の所有者に通知する第２通知手段と、
前記第２通知手段による通知後に、前記捜索対象として指示された見守り対象物に対応付けられた識別子を削除する第２削除手段と、
をさらに備える請求項１乃至４のいずれか１項に記載の見守りシステム。
【請求項６】
管理装置が、無線タグの識別子と前記無線タグが装着された見守り対象物と前記無線タグの配布先とを関連付けて登録する登録ステップと、
前記管理装置が、捜索対象として指示された見守り対象物に対応付けられた識別子を送信する携帯端末を、前記無線タグの配布先に基づいて、複数の携帯端末から選択する選択ステップと、
前記管理装置から前記選択された携帯端末に、前記捜索対象として指示された見守り対象物に対応付けられた識別子を送信する送信ステップと、
前記選択された携帯端末が、前記無線タグから近距離無線信号を受信して、前記近距離無線信号に含まれる識別子と、前記捜索対象として指示された見守り対象物に対応付けられた識別子とが一致することを判定する判定ステップと、
前記管理装置が、前記選択された携帯端末による判定結果に基づいて、前記無線タグの識別子と前記無線タグが装着された前記見守り対象物とを関連付けて管理する管理ステップと、
を含む見守り方法。
【請求項７】
近距離無線信号を受信する近距離無線通信手段と、
管理装置から受信した、捜索対象として指示された見守り対象物に対応付けられた識別子を保持する保持手段と、
前記近距離無線通信手段により無線タグから送信された近距離無線信号を受信して、前記近距離無線信号に含まれる識別子と、前記捜索対象として指示された見守り対象物に対応付けられた識別子とが一致することを判定する判定手段と、
前記判定手段により一致すると判定した識別子を、前記管理装置に通知する通知手段と、
前記捜索対象として指示された見守り対象物の情報を表示する表示手段と、
を備え、
前記表示手段は、
前記捜索対象として指示された見守り対象物に装着された無線タグの前記識別子を受信したことを表示する第１表示領域と、
前記捜索対象として指示された見守り対象物の情報の要求及び取得した情報を表示する第２表示領域と、
発見された前記捜索対象までの距離を表示する第３表示領域と、
前記捜索対象の発見の通知を指示するボタンを表示する第４表示領域と、
を含む携帯端末。
【請求項８】
管理装置から受信した、捜索対象として指示された見守り対象物に装着された無線タグの識別子を保持手段に保持する保持ステップと、
近距離無線信号を受信する近距離無線通信手段により無線タグから送信された近距離無線信号を受信して、前記保持手段を参照して、前記近距離無線信号に含まれる識別子と、前記捜索対象として指示された見守り対象物に装着された無線タグの前記識別子とが一致することを判定する判定ステップと、
前記判定ステップにおいて一致すると判定した識別子を、前記管理装置に通知する通知ステップと、
前記捜索対象として指示された見守り対象物の情報を表示手段に表示する表示ステップと、
をコンピュータに実行させる携帯端末の制御プログラムであって、
前記表示ステップは、
前記捜索対象として指示された見守り対象物に装着された無線タグの前記識別子を受信したことを前記表示手段の第１表示領域に表示する第１表示ステップと、
前記捜索対象として指示された見守り対象物の情報の要求及び取得した情報を前記表示手段の第２表示領域に表示する第２表示ステップと、
発見された前記捜索対象までの距離を前記表示手段の第３表示領域に表示する第３表示ステップと、
前記捜索対象の発見の通知を指示するボタンを前記表示手段の第４表示領域に表示する第４表示ステップと、
を含む携帯端末の制御プログラム。
【請求項９】
無線タグの識別子と、前記無線タグが装着された見守り対象物の情報と、前記見守り対象物に装着した前記無線タグの配布先と、捜索対象として指示されたことを示す情報と、を関連付けて保持するデータベースと、
前記捜索対象として指示された見守り対象物に対応付けられた識別子を送信する携帯端末を、前記見守り対象物に装着した前記無線タグの配布先に基づいて、複数の携帯端末から選択する選択手段と、
前記捜索対象として指示された見守り対象物に対応付けられた識別子を、前記選択された携帯端末に送信する送信手段と、
前記捜索対象として指示された見守り対象物に対応付けられた識別子と一致する識別子を含む近距離無線信号を受信したことを示す、前記選択された携帯端末からの通知に基づいて、前記無線タグの識別子と前記無線タグが装着された前記見守り対象物とを関連付けて管理する管理手段と、
を備える管理装置。
【請求項１０】
無線タグの識別子と、前記無線タグが装着された見守り対象物の情報と、前記見守り対象物に装着した前記無線タグの配布先と、捜索対象として指示されたことを示す情報と、を関連付けて保持するデータベースに基づいて、前記捜索対象として指示された見守り対象物に対応付けられた識別子を送信する携帯端末を、前記見守り対象物に装着した前記無線タグの配布先に基づいて、複数の携帯端末から選択する選択ステップと、
前記捜索対象として指示された見守り対象物に対応付けられた識別子を、前記選択された携帯端末に送信する送信ステップと、
前記捜索対象として指示された見守り対象物に対応付けられた識別子と一致する識別子を含む近距離無線信号を受信したことを示す、前記選択された携帯端末からの通知に基づいて、前記無線タグの識別子と前記無線タグが装着された前記見守り対象物とを関連付けて管理する管理ステップと、
をコンピュータに実行させる管理装置の制御プログラム。
【発明の詳細な説明】
【技術分野】
【０００１】
本発明は、見守りシステム、見守り方法、携帯端末、管理装置及びそれらの制御プログラムに関する。
【背景技術】
【０００２】
近年の社会全体の高齢化の進展、さらに今後の超高齢化社会を迎えていく中で、認知症による徘徊から起こる行方不明者の増加といった問題が自治体を含めた地域社会の大きな課題となってきている。徘徊する高齢者を見守るシステムとして、ＧＰＳ(Global Positioning System)を実装した専用端末などを持たせて遠隔で見守るソリューションがあるが、個々の端末が高価である点や認知症で徘徊する高齢者に常時携帯させる点など、実用的ではない。また、自治体が主導して行方不明者の氏名、容姿などの情報を不特定多数に通知し、市民がその情報を元に目視で探すという施策を実施している地域も存在する。しかし、この場合、個人情報保護の問題があり事前承諾の必要性、提供情報が限られる、情報展開が遅れ行方不明者の発見を妨げるなどの課題があり、有効な方法とはなっていない。
【０００３】
上記技術分野において、特許文献１では、徘徊者に発信機を装着し、間欠的に発信する固有のデータ信号を近傍のデータリピータで受信してセンターに転送し、徘徊者の居場所を特定する検索システムが開示されている。また、特許文献２には、傘や財布、帽子などの持ち物にＩＣタグを取り付けて、携帯電話機でＩＣタグを検出することによって、持ち物の遺失を検知してアラームする携帯電話機が開示されている。また、特許文献３には、公共のエリアで特定の人物を捜すために、携帯電話網を経由して識別情報をあらかじめ交換しておき、相手側の機器が近距離無線の到達範囲内に来た時点で相手機器から発せられる識別信号を検知して接近を報知するシステムが開示されている。特許文献３の識別信号の送受信には時刻情報が用いられ、システム全体で送信と受信のタイミングを合わせた制御管理が行なわれている。
【先行技術文献】
【特許文献】
【０００４】
【特許文献１】特開平１０−２６７６８４号公報
【特許文献２】特開２００４−０１３７８９号公報
【特許文献３】国際公開ＷＯ２００８／１０７９８４号公報
【発明の概要】
【発明が解決しようとする課題】
【０００５】
しかしながら、上記文献に記載の技術では、新たな捜索システムを構築することなく、広域の行方不明者や遺失物の捜索を効率的に行なうことができなかった。
【０００６】
本発明の目的は、上述の課題を解決する技術を提供することにある。
【課題を解決するための手段】
【０００７】
上記目的を達成するため、本発明に係る見守りシステムは、
無線タグと、複数の携帯端末と、管理装置とを備え、
前記無線タグは、見守り対象物に装着され、一意に識別可能な識別子を含む近距離無線信号を発信し、
前記複数の携帯端末は、前記無線タグから発信された近距離無線信号を受信して、前記近距離無線信号に含まれる識別子と、前記管理装置から送信され、捜索対象として指示された見守り対象物に対応付けて記憶された識別子とが一致することを判定し、
前記管理装置は、前記捜索対象として指示された見守り対象物に対応付けられた識別子を送信する携帯端末を、前記見守り対象物に装着した前記無線タグの配布先に基づいて、前記複数の携帯端末から選択する選択手段を有し、前記捜索対象として指示された見守り対象物に対応付けられた前記識別子を前記選択された携帯端末に送信し、前記選択された携帯端末による判定結果に基づいて、前記無線タグの識別子と前記無線タグが装着された前記見守り対象物とを関連付けて管理する。
【０００８】
上記目的を達成するため、本発明に係る見守り方法は、
管理装置が、無線タグの識別子と前記無線タグが装着された見守り対象物と前記無線タグの配布先とを関連付けて登録する登録ステップと、
前記管理装置が、捜索対象として指示された見守り対象物に対応付けられた識別子を送信する携帯端末を、前記無線タグの配布先に基づいて、複数の携帯端末から選択する選択ステップと、
前記管理装置から前記選択された携帯端末に、前記捜索対象として指示された見守り対象物に対応付けられた識別子を送信する送信ステップと、
前記選択された携帯端末が、前記無線タグから近距離無線信号を受信して、前記近距離無線信号に含まれる識別子と、前記捜索対象として指示された見守り対象物に対応付けられた識別子とが一致することを判定する判定ステップと、
前記管理装置が、前記選択された携帯端末による判定結果に基づいて、前記無線タグの識別子と前記無線タグが装着された前記見守り対象物とを関連付けて管理する管理ステップと、
を含む。
【０００９】
上記目的を達成するため、本発明に係る携帯端末は、
近距離無線信号を受信する近距離無線通信手段と、
管理装置から受信した、捜索対象として指示された見守り対象物に対応付けられた識別子を保持する保持手段と、
前記近距離無線通信手段により無線タグから送信された近距離無線信号を受信して、前記近距離無線信号に含まれる識別子と、前記捜索対象として指示された見守り対象物に対応付けられた識別子とが一致することを判定する判定手段と、
前記判定手段により一致すると判定した識別子を、前記管理装置に通知する通知手段と、
前記捜索対象として指示された見守り対象物の情報を表示する表示手段と、
を備え、
前記表示手段は、
前記捜索対象として指示された見守り対象物に装着された無線タグの前記識別子を受信したことを表示する第１表示領域と、
前記捜索対象として指示された見守り対象物の情報の要求及び取得した情報を表示する第２表示領域と、
発見された前記捜索対象までの距離を表示する第３表示領域と、
前記捜索対象の発見の通知を指示するボタンを表示する第４表示領域と、
を含む。
【００１１】
上記目的を達成するため、本発明に係る携帯端末の制御プログラムは、
管理装置から受信した、捜索対象として指示された見守り対象物に装着された無線タグの識別子を保持手段に保持する保持ステップと、
近距離無線信号を受信する近距離無線通信手段により無線タグから送信された近距離無線信号を受信して、前記保持手段を参照して、前記近距離無線信号に含まれる識別子と、前記捜索対象として指示された見守り対象物に装着された無線タグの前記識別子とが一致することを判定する判定ステップと、
前記判定ステップにおいて一致すると判定した識別子を、前記管理装置に通知する通知ステップと、
前記捜索対象として指示された見守り対象物の情報を表示手段に表示する表示ステップと、
をコンピュータに実行させる携帯端末の制御プログラムであって、
前記表示ステップは、
前記捜索対象として指示された見守り対象物に装着された無線タグの前記識別子を受信したことを前記表示手段の第１表示領域に表示する第１表示ステップと、
前記捜索対象として指示された見守り対象物の情報の要求及び取得した情報を前記表示手段の第２表示領域に表示する第２表示ステップと、
発見された前記捜索対象までの距離を前記表示手段の第３表示領域に表示する第３表示ステップと、
前記捜索対象の発見の通知を指示するボタンを前記表示手段の第４表示領域に表示する第４表示ステップと、
を含む。
【００１２】
上記目的を達成するため、本発明に係る管理装置は、
無線タグの識別子と、前記無線タグが装着された見守り対象物の情報と、前記見守り対象物に装着した前記無線タグの配布先と、捜索対象として指示されたことを示す情報と、を関連付けて保持するデータベースと、
前記捜索対象として指示された見守り対象物に対応付けられた識別子を送信する携帯端末を、前記見守り対象物に装着した前記無線タグの配布先に基づいて、複数の携帯端末から選択する選択手段と、
前記捜索対象として指示された見守り対象物に対応付けられた識別子を、前記選択された携帯端末に送信する送信手段と、
前記捜索対象として指示された見守り対象物に対応付けられた識別子と一致する識別子を含む近距離無線信号を受信したことを示す、前記選択された携帯端末からの通知に基づいて、前記無線タグの識別子と前記無線タグが装着された前記見守り対象物とを関連付けて管理する管理手段と、
を備える。
【００１４】
上記目的を達成するため、本発明に係る管理装置の制御プログラムは、
無線タグの識別子と、前記無線タグが装着された見守り対象物の情報と、前記見守り対象物に装着した前記無線タグの配布先と、捜索対象として指示されたことを示す情報と、を関連付けて保持するデータベースに基づいて、前記捜索対象として指示された見守り対象物に対応付けられた識別子を送信する携帯端末を、前記見守り対象物に装着した前記無線タグの配布先に基づいて、複数の携帯端末から選択する選択ステップと、
前記捜索対象として指示された見守り対象物に対応付けられた識別子を、前記選択された携帯端末に送信する送信ステップと、
前記捜索対象として指示された見守り対象物に対応付けられた識別子と一致する識別子を含む近距離無線信号を受信したことを示す、前記選択された携帯端末からの通知に基づいて、前記無線タグの識別子と前記無線タグが装着された前記見守り対象物とを関連付けて管理する管理ステップと、
をコンピュータに実行させる。
【発明の効果】
【００１５】
本発明によれば、新たな捜索システムを構築することなく広域の行方不明者や遺失物の捜索を効率的に行なうことができる。
【図面の簡単な説明】
【００１６】
【図１】本発明の第１実施形態に係る見守りシステムの構成を示すブロック図である。
【図２Ａ】本発明の第２実施形態に係る見守りシステムの概要を説明する図である。
【図２Ｂ】本発明の第２実施形態に係る見守りシステムの動作を説明する図である。
【図２Ｃ】本発明の第２実施形態に係る携帯端末の状態遷移を説明する図である。
【図３Ａ】本発明の第２実施形態に係る見守りシステムの構成を示すブロック図である。
【図３Ｂ】本発明の第２実施形態に係る見守りシステムの動作手順を示すシーケンス図である。
【図４】前提技術に係る検索システムの構成を示す図である。
【図５】本発明の第２実施形態に係る携帯端末の構成を示すブロック図である。
【図６】本発明の第２実施形態に係る携帯端末の捜索情報の構成を示す図である。
【図７Ａ】本発明の第２実施形態に係る携帯端末の処理手順を示すフローチャートである。
【図７Ｂ】本発明の第２実施形態に係る見守りアプリの処理手順を示すフローチャートである。
【図７Ｃ】本発明の第２実施形態に係る待ち受け処理の手順を示すフローチャートである。
【図７Ｄ】本発明の第２実施形態に係る発見処理の手順を示すフローチャートである。
【図８】本発明の第２実施形態に係る無線タグの構成を示すブロック図である。
【図９】本発明の第２実施形態に係る管理装置の構成を示すブロック図である。
【図１０】本発明の第２実施形態に係る管理装置の見守り管理ＤＢの構成を示す図である。
【図１１】本発明の第２実施形態に係る管理装置の処理手順を示すフローチャートである。
【図１２】本発明の第３実施形態に係る見守りシステムの概要を説明する図である。
【図１３】本発明の第３実施形態に係る管理装置の構成を示すブロック図である。
【図１４】本発明の第３実施形態に係る管理装置の見守り管理ＤＢの構成を示す図である。
【図１５】本発明の第３実施形態に係る管理装置の処理手順を示すフローチャートである。
【発明を実施するための形態】
【００１７】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。なお、以下の説明中における「近距離」は「近接」と同義であり、たとえば、「近距離無線通信」は「近接無線通信」とも称される。また、「装着」には、接着を含む場合も接着を含まない場合もあり、それら全ての状態を含む。
【００１８】
［第１実施形態］
本発明の第１実施形態としての見守りシステム１００について、図１を用いて説明する。見守りシステム１００は、行方不明者や遺失物を捜索するためのシステムである。
【００１９】
図１に示すように、見守りシステム１００は、無線タグ１１０と、携帯端末１２１〜１２ｎと、管理装置１３０と、を含む。無線タグ１１０は、見守り対象物１０１に装着され、一意に識別可能な識別子を含む近距離無線信号を送信する。携帯端末１２１〜１２ｎは、無線タグ１１０から送信された近距離無線信号を受信して、近距離無線信号に含まれる識別子と、捜索対象として指示された見守り対象物に装着された無線タグの識別子とが一致することを判定する。管理装置１３０は、捜索対象として指示された見守り対象物に装着された無線タグの識別子を携帯端末１２１〜１２ｎに送信し、携帯端末１２１〜１２ｎによる判定結果に基づいて、無線タグ１１０の識別子と無線タグが装着された見守り対象物１０１とを関連付けて管理する。
【００２０】
本実施形態によれば、既存の機能要素を利用することで、新たな捜索システムを構築することなく広域の行方不明者や遺失物の捜索を効率的に行なうことができる。
【００２１】
［第２実施形態］
次に、本発明の第２実施形態に係る見守りシステム２００について説明する。本実施形態に係る見守りシステム２００は、近距離無線タグと近距離無線受信携帯端末で近距離無線タグ携帯者を見守るシステムである。
【００２２】
本実施形態に係る見守りシステム２００は、デバイスを一意に識別可能なユニークな識別子（以下、ＩＤとも称す）、たとえば、ＵＵＩＤ（Universally Unique Identifier）を用いる。本実施形態においては、一意に識別可能なユニークな識別子としてＵＵＩＤを例に説明するが、ＵＵＩＤに限定されるものではなく、一意に識別可能なユニークな識別子であれば他の識別子も使用できる。また、本実施形態の具体的な実施例として、近距離無線通信は、たとえば、無線通信方式にBluetooth（登録商標）のLow Energy通信方式を使ったものである。Bluetooth（登録商標）のLow EnergyのBeacon機能が発するＵＵＩＤをたとえばスマートフォンで受信することにより、不明者や遺失物などの捜索対象を簡便に確認することが可能となる。
【００２３】
また、無線タグは、見守り対象として、高齢者、子供を含む人物、又は、ペットを含む動物、又は、貴重品を含む物品に装着される。また、見守り対象物に装着した無線タグの配布先に基づいて、複数の携帯端末から捜索対象となった見守り対象物の識別子を送信する携帯端末を選択する。また、管理装置では、携帯端末が識別した識別子に対応する捜索対象となった見守り対象物を捜索者に通知して、捜索対象となった見守り対象物を削除する。また、携帯端末では、識別した識別子に対応する捜索対象となった見守り対象物の情報を携帯端末の所有者に通知し、捜索対象となった見守り対象物の識別子を削除する。
【００２４】
《前提技術》
本実施形態の見守りシステムを説明する前に、その特徴を明瞭とするため、図４を参照して、前提技術に係る検索システム４００の構成を説明する。図４は、特許文献１の開示技術に相当する。
【００２５】
検索システム４００においては、徘徊者４０１に小型の発信機４１１を装着し、この発信機４１１から自動で間欠的に固有のデータ信号を発信させる。そして、徘徊者４０１が移動したときに、その移動先の近傍にあるデータリピータ４２１〜４２３の電源をオンにして発信機４１１からのデータ信号を受信し、その識別情報を基地局４４１〜４４３を経由してセンター４３０に転送する。センター４３０では、転送された情報から徘徊者４０１及びその居場所を特定し、必要な情報を消防や警察や行政に送信する。
【００２６】
検索システム４００によって、徘徊者等の捜索を迅速に確実に行うシステムにおいて、安価な構成で、装置の小型化を図り、消費電力を小さくする。しかしながら、新たな捜索システムを構築することなく、広域の行方不明者や遺失物の捜索を効率的に行なうことができない。
【００２７】
以下に説明する本実施形態の見守りシステムにおいて、携帯端末を有する捜索者は、行方不明者の情報や存在を意識する必要はなく、常に周囲を意識して目視で行方不明者の発見に気を配る必要はない。また、行方不明者の個人情報を公にする必要がないため、個人情報保護に配慮する必要もない。さらに、行方不明者の発生と同時に迅速に広範囲に捜索情報の展開を行うことができるようになる。
【００２８】
《本実施形態の見守りシステム》
図２Ａ乃至図３Ｂを参照して、本実施形態の見守りシステム２００の構成と仕組みを説明する。
【００２９】
（システム概要）
図２Ａは、本実施形態に係る見守りシステム２００の概要を説明する図である。
【００３０】
図２Ａに示すように、見守りシステム２００は、近距離無線を行なう無線タグ２１０と、携帯端末２２０と、管理装置２３０と、を含む。無線タグ２１０は、一意に識別可能な識別子を有し、識別子を近距離無線信号２０２により送信する。携帯端末２２０は、無線タグ２１０の送信する近距離無線信号２０２を受信して、識別子を認識する。管理装置２３０は、無線タグ２１０の識別子情報や行方不明者を特定するために必要な情報などを、ネットワーク２０９を介して携帯端末２２０に送信する。携帯端末２２０は、管理装置２３０から送られてくる情報を保存し、無線タグ２１０の検知や情報の表示を行う。
【００３１】
図２Ａにおいて、近距離無線信号２０２を発する無線タグ２１０をＡさん２０１が所有あるいは所持しているとする。また、近距離無線信号２０２を受信可能な携帯端末２２０をＢさん２０７が所有あるいは所持しているとする。本実施形態の見守りシステム２００は、個体を一意に識別可能なＵＵＩＤを、無線タグ２１０を所有あるいは所持しているＡさん２０１を捜索するために使用する。
【００３２】
Ａさん２０１が自宅から出て行方不明となったことを知った管理者２０８は、管理装置２３０上でＡさん２０１が装着している無線タグ２１０のＵＵＩＤを検索、特定する。そして、捜索依頼として、ネットワーク２０９を介して無線タグ２１０のＵＵＩＤをＢさん２０７の携帯端末２２０に送信する。この場合、管理者２０８はＢさん２０７の携帯端末２２０だけを特定、限定して送信する必要はなく、見守りシステム２００に対応できるプログラムをインストールしている不特定多数の携帯端末に、一斉にＡさん２０１が装着している無線タグ２１０のＵＵＩＤを送信することができる。あるいは、Ａさん２０１が徘徊可能な地域にある携帯端末を選択して送信することもできる。
【００３３】
ＵＵＩＤの通知は、管理者側から携帯端末に送信する場合と、管理者が特定のサーバに書き込み、携帯端末側から周期的に情報更新の有無を確認に行って、必要な情報がある場合に、自携帯端末にダウンロードするという方式もある。また、管理者２０８は、ＵＵＩＤの送信範囲を時間や携帯端末のあるエリア、グループに限定して配信することも可能である。
【００３４】
Ａさん２０１が装着している無線タグ２１０のＵＵＩＤ情報を受信して保持する携帯端末２２０は、ＵＵＩＤを含む近距離無線信号を待ち受けする状態となる。Ａさん２０１とＢさん２０７とがどこかで近距離無線通信が可能な距離に近づいた場合、無線タグ２１０から発せられている近距離無線信号２０２をＢさん２０７が持つ携帯端末２２０が受信して、ＵＵＩＤを識別する。携帯端末２２０はＡさん２０１が装着している無線タグ２１０のＵＵＩＤを受信したことを、画面表示や音、振動などによって携帯端末２２０を持つＢさん２０７に通知する。Ｂさん２０７はＡさん２０１が近くに居ることを認識できるとともに、検知した事実を管理者２０８に通知することが可能となる。通知の方法は電話や携帯端末２２０からネットワーク２０９を介して通知したりする方法が考えられる。
【００３５】
通知を受けた管理者２０８は、Ａさん２０１を特定する補足情報を管理装置２３０上で検索、特定する。そして、ネットワーク２０９を介して携帯端末２２０に送信したり、電話でＢさん２０７に伝えたりすることで、Ｂさん２０７の近辺に居るＡさん２０１の特定、保護を行うことが可能となる。また、通知を受けた管理者２０８は、管理装置２３０からあるいは電話などで、Ａさん２０１の居場所を捜索依頼者に通知することができる。
【００３６】
図２Ａにおいて、携帯端末２２０としてはスマートフォンを図示しているが、携帯電話やタブレット、あるいは同様の機能を有する携帯端末であれば使用できる。また、図２Ａの携帯端末２２０には、アラーム表示２０３、行方不明者情報表示２０４、行方不明者との距離情報表示２０５、通知するボタン２０６の表示領域が図示されているが、これに限定されない。アラーム表示２０３は、携帯端末２２０に送信された捜索対象のＵＵＩＤと同じＵＵＩＤを受信したことを、携帯端末２２０を持つ捜索者にアラーム通知する。アラーム通知は、表示ばかりでなく、音声や振動などを含んでもよい。行方不明者情報表示２０４は、アラーム表示２０３により不明者発見を知った捜索者が不明者の詳細情報を知るための表示である。行方不明者との距離情報表示２０５は、携帯端末２２０が受信した近距離無線の電波強度から算出した不明者までの距離の表示である。通知するボタン２０６は、携帯端末２２０における発見通知や、携帯端末２２０から管理装置２３０への不明者発見通知を指示するボタン表示である。なお、無線タグ２１０が近距離無線信号の受信機能及び振動又は表示機能、音声出力機能を有している場合は、捜索対象者に発見されたことを通知してもよい。
【００３７】
（システム動作）
図２Ｂは、本実施形態に係る見守りシステム２００の動作を説明する図である。図２Ｂでは、見守りシステム２００のさらに具体的な場面での動作を例示する。
【００３８】
図２Ｂのように、Ａさん２０１が近距離無線信号２０２を発する無線タグ２１０を衣服や靴など常日頃身につけている物に取り付けている。町中には、見守りシステム２００に対応したプログラムをインストールした携帯端末２２１〜２２７を所有あるいは所持している不特定多数の人々がいる。
【００３９】
Ａさん２０１が自宅から出て行方不明となったことを知った管理者２０８は、管理装置２３０上でＡさん２０１が装着している無線タグ２１０のＵＵＩＤを検索、特定する。そして、ネットワーク２０９を介して、無線タグ２１０のＵＵＩＤを、見守りシステム２００に対応できるプログラムをインストールしている不特定多数の携帯端末２２１〜２２７に一斉に送信する。Ａさん２０１が装着している無線タグ２１０のＵＵＩＤ情報を受信して保持する多数の携帯端末２２１〜２２７は、ＵＵＩＤを含む近距離無線信号を待ち受けする状態となる。
【００４０】
以下、点線に沿ってＡさん２０１が移動した場合の動作を説明する。
【００４１】
Ａさん２０１が点線に沿って移動すると、無線タグ２１０から周期的に発している近距離無線信号２０２を、Ａさん２０１が移動中に近距離無線信号２０２を受信可能な範囲の携帯端末２２１〜２２４が検知する。すなわち、Ｂさん、Ｃさん、Ｄさん、Ｅさんのそれぞれの携帯端末２２１〜２２４で、Ａさん２０１が装着している無線タグ２１０の接近を検知する。Ｂさん、Ｃさん、Ｄさん、ＥさんがＡさん２０１を発見した情報は、電話又は携帯端末２２１〜２２４からネットワーク２０９を介して管理者２０８の管理装置２３０に通知される。
【００４２】
通知を受けた管理者２０８は、Ａさん２０１を特定する補足情報を管理装置２３０上で検索、特定する。そして、ネットワーク２０９を介して携帯端末２２１〜２２４に送信したり、電話で伝えたりすることで、Ａさん２０１の特定、保護を行うことが可能となる。そして、通知を受けた管理者２０８は、管理装置２３０からあるいは電話などで、Ａさん２０１の発見場所を捜索依頼者に通知する。
【００４３】
（携帯端末の状態遷移）
図２Ｃは、本実施形態に係る携帯端末２２０の状態遷移を説明する図である。なお、図２Ｃは、携帯端末２２０の状態遷移の一例を示すもので、その操作や表示形式、遷移順序は図２Ｃに限定されない。
【００４４】
携帯端末２２０の所有者は、この携帯端末２２０で不明者の捜索をする見守りシステムへの参加をするために、見守りアプリダウンロード２２０ａによりアプリケーションプログラムのダウンロードを行なう。そして、見守りアプリスタートアイコン２２０ｂをクリックして、アプリケーションプログラムを起動する。
【００４５】
管理装置２３０から携帯端末２２０に不明者（捜索対象者）のＵＵＩＤが送信されると、同じＵＵＩＤを含む近距離無線信号の受信に基づいて捜索が開始される。携帯端末２２０は、ＵＵＩＤを受信すると、それを表示２２０ｃや音声により携帯端末２２０を持つ捜索者に通知してもよい。なお、通知はなくてもよい。そして、同じＵＵＩＤを含む近距離無線信号を受信すると、携帯端末２２０の振動や表示２２０ｄや音声で不明者の発見を、携帯端末２２０を持つ捜索者にアラーム通知する。
【００４６】
発見した不明者（捜索対象者）の詳細情報を管理装置２３０から取得したい場合は、詳細情報要求ボタン２２０ｅをプッシュすると、不明者（捜索対象者）の詳細情報２２０ｆが表示される。詳細情報２２０ｆには、氏名、住所、連絡先の外、不明者（捜索対象者）の写真が含まれるのが望ましい。なお、個人情報保護の観点から、詳細情報２２０ｅは、特徴、服装、性別、年齢などに限定してもよい。
【００４７】
不明者（捜索対象者）が確認された場合、携帯端末２２０から管理装置２３０への通知２２０ｇ、あるいは、直接、捜索依頼者への通知２２０ｈが、通知ボタンにより指示される。
【００４８】
なお、図２Ｃにおいては、捜索中に携帯端末２２０から随時に操作を行なったが、ＵＵＩＤ受信通知や詳細情報取得、発見通知などは、あらかじめ動作手順をアプリケーションプログラムに設定しておき、自動的に携帯端末２２０が選択して処理するように構成してもよい。
【００４９】
（システム構成）
図３Ａは、本実施形態に係る見守りシステム２００の構成を示すブロック図である。
【００５０】
見守りシステム２００は、ネットワーク２０９を介して接続する、管理装置２３０と、捜索者が保持する近距離無線通信機能を有する携帯端末２２０〜２２ｍと、を含む。また、見守りシステム２００は、携帯端末２２０〜２２ｍに一意に識別可能な識別子であるＵＵＩＤを含む近距離無線信号を送信する無線タグ２１０〜２１ｎを含む。
【００５１】
見守り依頼者３０１は、見守り対象者が不明になると、ネットワーク２０９を介して、又は、電話などの他の経路で、管理装置２３０に行方不明者の捜索依頼を行なう。管理装置２３０は、見守り管理データベース（以下、ＤＢ）３３０を有し、既に登録されたＵＵＩＤを有する無線タグ２１０〜２１ｎによって見守りを行なう。携帯端末２２０〜２２ｍへの捜索通知は、行方不明者の捜索依頼に対応するＵＵＩＤを見守り管理ＤＢ３３０から検索して、携帯端末２２０〜２２ｎへ送信することにより行なわれる。そして、携帯端末２２０〜２２ｍは、近距離無線が可能な距離内の無線タグ２１０〜２１ｎからＵＵＩＤを受信すると、捜索通知で管理装置２３０から受信したＵＵＩＤと比較して、一致すれば不明者発見と判定する。
【００５２】
なお、管理装置２３０は、警察や学校、病院などと接続して不明者についての情報交換を行なってもよい。
【００５３】
（システム動作手順）
図３Ｂは、本実施形態に係る見守りシステム２００の動作手順を示すシーケンス図である。
【００５４】
見守り依頼者３０１は、ステップＳ３０１において、見守り対象の登録を行なう。管理装置２３０は、ステップＳ３０３において、登録を受理した見守り対象にＵＵＩＤを割り当てて、見守り対象とＵＵＩＤとを対応付けて見守り管理ＤＢ３３０に登録し、割り当てたＵＵＩＤを設定した無線タグを見守り依頼者３０１に送付する。見守り依頼者３０１は、ステップＳ３０５において、無線タグ２１０を見守り対象に装着する。一方、不明者の捜索を引き受ける捜索者は、ステップＳ３０７において、所有する携帯端末２２０に見守りアプリをダウンロードして起動する。なお、見守りアプリの起動に際しては、必要であれば、捜索者の登録や認証を行なってもよい。また、見守りアプリは、管理装置２３０からダウンロードしても、他のサービスサーバからダウンロードしてもよい。
【００５５】
見守り対象が不明であることに気が付くと、見守り依頼者３０１は、ステップＳ３１１において、管理装置２３０に対して、見守り対象の捜索を依頼する。管理装置２３０は、依頼された捜索対象を見守り管理ＤＢ３３０から検索して、対応するＵＵＩＤを取得する。そして、管理装置２３０は、ステップＳ３１３において、検索されたＵＵＩＤを、捜索を引き受けて見守りアプリを起動している携帯端末２２０に通知する。なお、通知相手の携帯端末２２０を、携帯端末２２０の現在位置や不明者の移動範囲などから選択してもよい。携帯端末２２０は、ステップＳ３１７において、捜索対象のＵＵＩＤを受信してメモリに保持し、無線タグ２１０からの近距離無線信号を待ち受けすることで不明者の捜索を開始する。
【００５６】
無線タグ２１０が、ステップＳ３２１において送信した近距離無線信号に含まれるＵＵＩＤは、携帯端末２２０で、ステップＳ３２３において受信される。携帯端末２２０は、ステップＳ３２５において、受信したＵＵＩＤと捜索対象のＵＵＩＤとの一致を判定する。一致したＵＵＩＤがあれば、携帯端末２２０は、ステップＳ３２７において、一致したＵＵＩＤを管理装置２３０に通知する。携帯端末２２０が、ステップＳ３３１において、一致したＵＵＩＤに対応する捜索対象者のさらなる情報を要求した場合には、管理装置２３０から携帯端末２２０に、ステップＳ３２９において、詳細情報が送信されて、携帯端末２２０に表示される。
【００５７】
管理装置２３０は、ステプＳ３３３において、ＵＵＩＤに対応する捜索対象者の発見を見守り依頼者（捜索依頼者）に通知する。なお、捜索対象者の発見は、携帯端末２２０から見守り依頼者（捜索依頼者）に行なわれてもよい。
【００５８】
《携帯端末の構成》
図５は、本実施形態に係る携帯端末２２０の構成を示すブロック図である。
【００５９】
図５において、携帯端末２２０は、各機能を繋げるデータバス５００により接続される、データの読み書きを制御するＣＰＵ(Central Processing Unit)５１０と、ネットワーク２０９を介する通信を制御する通信制御部５３０と、各種データを保存するメモリ５５０と、を有する。また、携帯端末２２０は、外部からの入力及び操作を受け取る操作部５６０と、情報表示を行う表示部５２０と、を有する。
【００６０】
さらに、携帯端末２２０は、近距離無線を行なう近距離無線受信部５４１と、受信した近距離無線データを解析する近距離無線データ解析部５４２と、近距離無線信号の信号強度に基づいて無線タグ２１０から携帯端末２２０までの距離を算出する距離算出部５４３と、を有する。
【００６１】
ＣＰＵ５１０は演算制御用のプロセッサであり、プログラムを実行することで携帯端末２２０の機能を実現する。また、メモリ５５０は、初期データ及びプログラムなどの固定データを記憶するＲＯＭ(Read Only Memory)や、ＣＰＵ５１０が一時記憶のワークエリアとして使用するＲＡＭ(Random Access Memory)や、データベースや各種のパラメータ、あるいは本実施形態の実現に必要なデータ又はプログラムが記憶されるストレージを含む。メモリ５５０には、捜索情報５５１が保持される。ここで、ＣＰＵ５１０による近距離無線データ解析部５４２が解析した無線タグから受信した近距離無線信号に含まれる識別子と、捜索情報５５１に保持された識別子との比較処理が、捜索対象との識別子の一致を判定する判定部として機能する。
【００６２】
（捜索情報）
図６は、本実施形態に係る携帯端末２２０の捜索情報５５１の構成を示す図である。図６には、捜索情報５５１と共に、管理装置２３０から受信する捜索対象のＵＵＩＤの受信メッセージ６１０、及び、管理装置２３０に送信する発見したＵＵＩＤの送信メッセージ６３０を示す。
【００６３】
受信メッセージ６１０は、送信先である携帯端末ＩＤ６１１と、送信元である見守り管理ＤＢ・ＩＤ６１２と、捜索対象の識別情報（ＵＵＩＤ）６１３と、誤り訂正符号６１４と、を含む。
【００６４】
捜索情報５５１は、管理装置２３０から受信した捜索対象のＵＵＩＤ６２１に対応付けて、捜索対象データ６２２と、その他関連データ６２３と、無線タグからの同じＵＵＩＤの受信フラグ６２４と、捜索対象までの距離データ６２５と、を記憶する。さらに、捜索情報５５１は、あらかじめ捜索対象の発見を通知する設定を行なう場合、管理装置２３０への送信フラグ６２６と、携帯端末２２０への通知フラグ６２７と、を記憶する。なお、各フラグにおいて、○は真／×は偽を表わす。
【００６５】
送信メッセージ６３０は、送信先である見守り管理ＤＢ・ＩＤ６３１と、送信元である携帯端末ＩＤ６３２と、発見した捜索対象の識別情報（ＵＵＩＤ）６３３と、誤り訂正符号６３４と、を含む。
【００６６】
《携帯端末の処理手順》
図７Ａは、本実施形態に係る携帯端末２２０の処理手順を示すフローチャートである。このフローチャートは、図５のＣＰＵ５１０がメモリ５５０を使用して実行し、図５の機能構成部を実現する。
【００６７】
携帯端末２２０は、ステップＳ７１１において、見守りアプリのダウンロード指示か否かを判定する。ダウンロード指示であれば、携帯端末２２０は、ステップＳ７１３において、見守りアプリをダウンロードする。見守りアプリのダウンロード指示でなければ、携帯端末２２０は、ステップＳ７２１において、ダウンロードした見守りアプリの起動指示か否かを判定する。起動指示であれば、携帯端末２２０は、ステップＳ７２３において、見守りアプリを起動する。見守りアプリのダウンロード指示でも起動でもなければ、携帯端末２２０は、ステップＳ７３１において、見守りアプリの終了指示か否かを判定する。終了指示であれば、携帯端末２２０は、ステップＳ７３３において、見守りアプリを終了する。見守りアプリのダウンロード指示でも起動あるいは終了でもなければ、携帯端末２２０は、ステップＳ７４１において、他の処理を実行する。
【００６８】
（見守りアプリ）
図７Ｂは、本実施形態に係る見守りアプリの処理手順を示すフローチャートである。このフローチャートは、ダウンロードした見守りアプリをステップＳ７２３において起動される。
【００６９】
携帯端末２２０は、ステップＳ７５１において、捜索するＵＵＩＤを管理装置２３０から受信したか否かを判定する。捜索するＵＵＩＤを受信した場合、携帯端末２２０は、ステップＳ７５３において、近距離無線信号の待ち受け処理により捜索を開始する。
【００７０】
捜索するＵＵＩＤの受信が無ければ、携帯端末２２０は、ステップＳ７６１において、捜索対象のＵＵＩＤを持つ近距離無線信号の受信か否かを判定する。捜索対象のＵＵＩＤを持つ近距離無線信号の受信であれば、携帯端末２２０は、ステップＳ７６３において、捜索対象の発見処理を実行する。
【００７１】
（待ち受け処理）
図７Ｃは、本実施形態に係る待ち受け処理（Ｓ７５３）の手順を示すフローチャートである。
【００７２】
携帯端末２２０は、ステップＳ７７１において、既に捜索するＵＵＩＤを保持しているか否かを判定する。捜索するＵＵＩＤを保持してない場合、携帯端末２２０は、ステップＳ７７３において、受信した捜索するＵＵＩＤをメモリ５５０の捜索情報５５１に記憶する。そして、携帯端末２２０は、ステップＳ７７５において、近距離無線信号の待ち受けを開始する。既に捜索するＵＵＩＤを保持している場合、携帯端末２２０は、ステップＳ７７７において、新たに受信したＵＵＩＤを捜索するＵＵＩＤに追加する。
【００７３】
（発見処理）
図７Ｄは、本実施形態に係る発見処理（Ｓ７６３）の手順を示すフローチャートである。
【００７４】
携帯端末２２０は、ステップＳ７８１において、捜索対象のＵＵＩＤのいずれかを受信したことをアラームとして通知する。次に、携帯端末２２０は、ステップＳ７８３において、近距離無線信号の信号強度に基づいて無線タグまでの距離を算出する。
【００７５】
携帯端末２２０は、ステップＳ７８５において、捜索対象ＵＵＩＤの受信結果を自動的に管理装置２３０に送信するか否かの判定を行う。この判定は、携帯端末２２０の固有設定、プログラムの指定、又は管理装置２３０からの指示による場合が考えられる。
【００７６】
捜索対象ＵＵＩＤの受信結果を自動的に管理端末に送信する場合、携帯端末２２０は、ステップＳ７８７において、捜索対象ＵＵＩＤを持つ近距離無線信号を受信したことを、ネットワーク２０９を介して管理装置２３０に送信する。送信しない場合、携帯端末２２０は、ステップＳ７９１の処理に進む。
【００７７】
携帯端末２２０は、ステップＳ７８９において、捜索対象ＵＵＩＤの受信結果を携帯端末２２０の所有者に通知するか否かの判定を行う。この判定は、携帯端末２２０に固有設定、プログラムの指定、又は管理装置２３０からの指示による場合が考えられる。捜索対象ＵＵＩＤの受信結果を携帯端末２２０の所有者に通知する場合、携帯端末２２０は、ステップＳ７９１において、捜索対象ＵＵＩＤを持つ近距離無線信号を受信したことを、画面表示や音、振動などによって通知する。通知しない場合、携帯端末２２０は、ステップＳ７９３の処理に進む。
【００７８】
携帯端末２２０は、ステップＳ７９３において、発見した捜索対象の通知の後、捜索対象に対応するＵＵＩＤをメモリ５５０の捜索情報５５１から削除する。携帯端末２２０は、ステップＳ７９５において、メモリ５５０の捜索情報５５１に捜索するＵＵＩＤが無くなったか否かを判定する。捜索するＵＵＩＤが無くなった場合、携帯端末２２０は、ステップＳ７９７において、近距離無線信号の待ち受けを中止する。一方、捜索するＵＵＩＤが残っている場合、リターンをして近距離無線信号の待ち受けを継続する。
【００７９】
《無線タグの構成》
図８は、本実施形態に係る無線タグ２１０の構成を示すブロック図である。
近距離無線信号を発する無線タグ２１０は、各機能を繋げるデータバス８００により接続される、データの読み書きを制御するＣＰＵ８１０と、各種データを保存するメモリ８３０と、を有する。無線タグ２１０は、さらに、ＵＵＩＤを含む近距離無線信号を送信する近距離無線送信部８２１と、ＵＵＩＤを含む近距離無線データを生成する近距離無線データ生成部８２２と、を有する。
【００８０】
ＣＰＵ８１０は演算制御用のプロセッサであり、プログラムを実行することで無線タグ２１０の機能を実現する。また、メモリ８３０は、初期データ及びプログラムなどの固定データを記憶するＲＯＭや、ＣＰＵ８１０が一時記憶のワークエリアとして使用するＲＡＭや、データベースや各種のパラメータ、あるいは本実施形態の実現に必要なデータ又はプログラムが記憶されるストレージを含む。メモリ８３０には、ＵＵＩＤ８３１が格納されている。より小型化、省電力化を目的にＣＰＵ８１０を実装せずメモリ８３０にある固定データを近距離無線データ生成部８２２が読み出し、近距離無線送信部８２１から送信する場合もある。
【００８１】
《管理装置の構成》
図９は、本実施形態に係る管理装置２３０の構成を示すブロック図である。
【００８２】
図９において、管理装置２３０は、各機能を繋げるデータバス５００により接続される、データの読み書きを制御するＣＰＵ９１０と、ネットワーク２０９を介する通信を制御する通信制御部９３０と、各種データを保存するメモリ９５０と、を有する。また、管理装置２３０は、外部からの入力及び操作を受け取る操作部９６０と、情報表示を行う表示部９２０と、を有する。
【００８３】
さらに、管理装置２３０は、近距離無線を行なう近距離無線受信部９４１と、受信した近距離無線データを解析する近距離無線データ解析部９４２と、を有する。
【００８４】
ＣＰＵ９１０は演算制御用のプロセッサであり、プログラムを実行することで管理装置２３０の機能を実現する。また、メモリ９５０は、初期データ及びプログラムなどの固定データを記憶するＲＯＭや、ＣＰＵ９１０が一時記憶のワークエリアとして使用するＲＡＭや、データベースや各種のパラメータ、あるいは本実施形態の実現に必要なデータ又はプログラムが記憶されるストレージを含む。メモリ９５０は、見守り管理ＤＢ３３０を含んでいる。
【００８５】
（見守り管理ＤＢ）
図１０は、本実施形態に係る管理装置２３０の見守り管理ＤＢ３３０の構成を示す図である。なお、図１０には、見守り管理ＤＢ３３０以外に、管理装置２３０から携帯端末２２０に送信される捜索するＵＵＩＤの送信メッセージ（図６の受信メッセージに相当）６１０と、発見したＵＵＩＤを携帯端末２２０から受信する受信メッセージ（図６の送信メッセージに相当）６３０と、の関連が図示されている。図６と同様の構成については、説明を省略する。
【００８６】
見守り管理ＤＢ３３０は、見守り対象の装着される無線タグが有するＵＵＩＤ１０１１に対応付けて、見守り依頼者３０１から登録時に通知された見守り対象データ１０１２と、その他関連データ１０１３と、を格納する。
【００８７】
見守り管理ＤＢ３３０の捜索対象フラグ１０１４は、見守り依頼者３０１などからの捜索依頼を受けた見守り対象を記憶する。そして、捜索対象（捜索対象フラグが○）となったＵＵＩＤを携帯端末２２０に通知する。
【００８８】
一方、見守り管理ＤＢ３３０の発見通知フラグ１０１５は、携帯端末２２０からの発見した捜索対象のＵＵＩＤを受信して、捜索結果を記憶する（発見した捜索対象は○）。また、必要であれば、発見した捜索対象の無線タグまでの距離データ１０１６も携帯端末２２０から受信して、記憶する。
【００８９】
《管理装置の処理手順》
図１１は、本実施形態に係る管理装置２３０の処理手順を示すフローチャートである。このフローチャートは、図９のＣＰＵ９１０がメモリ９５０を使用して実行し、図９の機能構成部を実現する。
【００９０】
管理装置２３０は、ステップＳ１１１１において、見守り依頼者３０１から依頼された、見守り対象の登録か否かを判定する。見守り対象の登録ならば、管理装置２３０は、ステップＳ１１１３において、見守り対象の情報を入力して記憶する。次に、管理装置２３０は、ステップＳ１１１５において、見守り対象に対応する無線タグのＵＵＩＤを受信する。そして、管理装置２３０は、ステップＳ１１１７において、受信したＵＵＩＤと見守り対象情報とを対応付けて見守り管理ＤＢ３３０に格納する。
【００９１】
見守り対象の登録でなければ、管理装置２３０は、ステップＳ１１２１において、見守り依頼者３０１などからの捜索依頼の受理か否かを判定する。捜索依頼の受理であれば、管理装置２３０は、ステップＳ１１２３において、見守り管理ＤＢ３３０から捜索対象情報に対応するＵＵＩＤを検索する。次に、オプションとして、管理装置２３０は、ステップＳ１１２５において、捜索依頼を行なう携帯端末２２０をその現在位置などに基づいて選択する。そして、管理装置２３０は、ステップＳ１１２７において、携帯端末２２０に捜索対象のＵＵＩＤを送信する。
【００９２】
見守り対象の登録でも捜索依頼の受信でもなければ、管理装置２３０は、ステップＳ１１３１において、携帯端末２２０からの捜索結果の受信であるか否かを判定する。捜索結果の受信であれば、管理装置２３０は、ステップＳ１１３３において、受信した捜索結果のＵＵＩＤを見守り管理ＤＢ３３０から検索する。次に、管理装置２３０は、ステップＳ１１３５において、捜索対象の発見を捜索依頼者などに通知する。そして、管理装置２３０は、ステップＳ１１３７において、発見した捜索対象の捜索対象フラグをオン（○）からオフ（×）にする。
【００９３】
見守り対象の登録でも捜索依頼の受信でも捜索結果の受信でもなければ、管理装置２３０は、ステップＳ１１４１において、他の処理を行なう。
【００９４】
本実施形態によれば、管理端末で近距離無線タグの識別子を管理し、検知したい近距離無線タグの識別情報を携帯端末に送信し、携帯端末で保存することで、それ以降ネットワークの接続状態に関わらずネットワーク接続機能を持たない任意の近距離無線タグの接近を把握することができる。
【００９５】
［第３実施形態］
次に、本発明の第３実施形態に係る見守りシステムについて説明する。本実施形態に係る見守りシステムは、より簡便なシステム管理を目的とした見守りシステムである。上記第２実施形態と比べると、近距離無線信号を発する無線タグ２１０の管理方法が異なる。すなわち、管理装置は、無線タグを一意に識別可能な識別子を受信し、無線タグの配布先を撮像し、識別子と配布先とを対応付けてデータベースに格納する。その他の構成及び動作は、第２実施形態と同様であるため、同じ構成及び動作については同じ符号を付してその詳しい説明を省略する。このように、郵送時の封書の宛名をカメラで写真撮影するだけで、管理者が無線タグ２１０と所有者であるＡさん２０１の紐付けを、煩雑で長い文字列であるＵＵＩＤを意識せずに容易に行うことができる。
【００９６】
《システム概要》
図１２は、本実施形態に係る見守りシステム１２００の概要を説明する図である。なお、図１２において、図２Ａと同様の構成要素には同じ参照番号を付して、説明を省略する。
【００９７】
見守り管理側では、見守り登録をする見守り依頼者の住居１２０４へ、無線タグ２１０が同封された封筒１２０３を送付する。この時に、管理装置１２３０としてのカメラ付き携帯端末によって、無線タグ２１０の近距離無線信号２０２を受信すると共に、カメラにより封筒１２０３の宛先１２０１を撮影する。撮影された宛先１２０１は写真のまま、あるいは、文字認識されて文字コードに変換され、受信した近距離無線信号２０２に含まれるＵＵＩＤと対応付けて登録される。なお、登録する見守り管理ＤＢは、小規模であればカメラ付き携帯端末が有してもよく、大規模であれば別途、管理装置が有してもよい。
【００９８】
《管理装置の構成》
図１３は、本実施形態に係る管理装置１２３０の構成を示すブロック図である。なお、図１３において、図９と同様の構成要素には同じ参照番号を付して、説明を省略する。
【００９９】
撮像部としてのカメラ１３７０は、無線タグ２１０が同封された封筒１２０３の宛先１２０１を撮像する。撮像した宛先１２０１の写真あるいは認識文字コードは、近距離無線受信部９４１で受信されて解析されたＵＵＩＤに対応つけて、見守り管理ＤＢに登録され見守り対象が管理される。
【０１００】
（見守り管理ＤＢ）
図１４は、本実施形態に係る管理装置１２３０の見守り管理ＤＢ１３３０の構成を示す図である。なお、図１４において、図１０と同様の構成要素には同じ参照番号を付して、説明を省略する。
【０１０１】
写真データ格納部１４００は、無線タグ２１０から受信したＵＵＩＤ１４０１に対応付けて、カメラ１３７０が撮像した宛先１２０１の写真データ１４０２を記憶する。そして、見守り管理ＤＢ１３３０は、宛先１２０１の写真データ１４０２に基づいて、その他の関連データ１４１３として、写真データや文字認識した宛先の住所データなどを煩雑な入力操作無しに自動的に登録する。
【０１０２】
《管理装置の処理手順》
図１５は、本実施形態に係る管理装置１２３０の処理手順を示すフローチャートである。このフローチャートは、図１３のＣＰＵ９１０がメモリ９５０を使用して実行し、図１３の機能構成部を実現する。なお、図１５において、図１１と同様のステップには同じステップ番号を付して、説明を省略する。
【０１０３】
管理装置１２３０は、ステップＳ１５１４において、無線タグを見守り依頼者に送付する封筒をカメラ１３７０で撮像して、宛先情報を取得する。
【０１０４】
なお、本実施形態においては、管理装置を、カメラと近距離無線通信、見守り管理ＤＢを有する管理端末として説明したが、カメラと近距離無線通信とを有する携帯端末と見守り管理ＤＢを有する管理装置とにより構成してもよい。その場合には、カメラ付き携帯端末で撮像した写真と、近距離無線通信で無線タグから受信したＵＵＩＤとが、管理装置に無線通信されて見守り管理ＤＢに検索可能に格納される。
【０１０５】
本実施形態によれば、管理者は無線タグの管理処理の工数を大幅に低減することが可能となる。すなわち、本実施形態は以下のような適用が可能であり、同様の顕著な効果を奏する。
【０１０６】
たとえば、迷子のペットを捜索する場合の見守りシステムとして、事前にＵＵＩＤを発する小型の無線タグを飼い主に郵送しておく。郵送する時点で管理者は無線タグと飼い主に送付する宛先を一緒に写真撮影することで、飼い主毎のＵＵＩＤと宛先を撮影した写真データが関連付けられたデータベースを作成する。飼い主はペットに個々に配布された無線タグを装着する。ペットが迷子になった場合、飼い主は管理者に通知し、管理者は迷子になったペットのＵＵＩＤ情報を見守りシステムに対応したプログラムをインストールしている携帯端末に通知する。携帯端末は迷子のペットのＵＵＩＤを持つ近距離無線信号を待ち受け状態となり、携帯端末を所有している人の近くに迷子のペットが居た場合、携帯端末所有者に通知、又は、管理者に通知することが可能となる。
【０１０７】
［他の実施形態］
上記実施形態においては、近距離無線通信としてBluetooth(登録商標)の例を説明したが、Wi-Fi(Wireless Fidelity）などにおいても同様である。特に、IEEE(The Institute of Electrical and Electronics Engineers, Inc)802.15あるいはIEEE802.11に準拠する近距離無線通信に適用される。
【０１０８】
また、実施形態を参照して本発明を説明したが、本発明は上記実施形態に限定されるものではない。本発明の構成や詳細には、本発明のスコープ内で当業者が理解し得る様々な変更をすることができる。また、それぞれの実施形態に含まれる別々の特徴を如何様に組み合わせたシステム又は装置も、本発明の範疇に含まれる。
【０１０９】
また、本発明は、複数の機器から構成されるシステムに適用されてもよいし、単体の装置に適用されてもよい。さらに、本発明は、実施形態の機能を実現する制御プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【０１１０】
［実施形態の他の表現］
上記の実施形態の一部又は全部は、以下の付記のようにも記載されうるが、以下には限られない。
（付記１）
見守り対象物に装着され、一意に識別可能な識別子を含む近距離無線信号を送信する無線タグと、
前記無線タグから送信された近距離無線信号を受信して、前記近距離無線信号に含まれる識別子と、捜索対象として指示された見守り対象物に装着された無線タグの識別子とが一致することを判定する携帯端末と、
前記捜索対象として指示された見守り対象物に装着された無線タグの前記識別子を前記携帯端末に送信し、前記携帯端末による判定結果に基づいて、前記無線タグの識別子と前記無線タグが装着された前記見守り対象物とを関連付けて管理する管理装置と、
を備える見守りシステム。
（付記２）
前記管理装置は、前記無線タグの識別子と、前記無線タグが装着された前記見守り対象物の情報と、捜索対象として指示されたことを示す情報とを関連付けて格納するデータベースを有する付記１に記載の見守りシステム。
（付記３）
前記管理装置は、
前記無線タグから送信された一意に識別可能な識別子を含む近距離無線信号を受信する近距離無線受信手段と、
前記見守り対象物に装着すべき前記無線タグの配布先を撮像する撮像手段と、
をさらに有し、
前記データベースは、前記無線タグの識別子と前記配布先とを対応付けて格納する付記２に記載の見守りシステム。
（付記４）
前記管理装置は、前記見守り対象物に装着した前記無線タグの配布先に基づいて、複数の携帯端末から前記捜索対象として指示された見守り対象物に装着された無線タグの前記識別子を送信する携帯端末を選択する選択手段を有する付記１乃至３のいずれか１項に記載の見守りシステム。
（付記５）
前記管理装置は、前記携帯端末が判別した前記識別子に対応する前記捜索対象として指示された見守り対象物を捜索者に通知する第１通知手段と、
前記捜索対象として指示されたことを示す情報を削除する第１削除手段と、
をさらに備える付記１乃至４のいずれか１項に記載の見守りシステム。
（付記６）
前記携帯端末は、判別した前記識別子に対応する前記捜索対象として指示された見守り対象物の情報を携帯端末の所有者に通知する第２通知手段と、
前記捜索対象として指示された見守り対象物に装着された無線タグの前記識別子を削除する第２削除手段と、
をさらに備える付記１乃至５のいずれか１項に記載の見守りシステム。
（付記７）
管理装置が、無線タグの識別子と前記無線タグが装着された前記見守り対象物とを関連付けて登録する登録ステップと、
前記管理装置から携帯端末に、捜索対象として指示された見守り対象物に装着された無線タグの識別子を送信する送信ステップと、
前記携帯端末が、前記無線タグから近距離無線信号を受信して、前記近距離無線信号に含まれる識別子と、前記捜索対象として指示された見守り対象物に装着された無線タグの前記識別子とが一致することを判定する判定ステップと、
前記管理装置が、前記携帯端末による判定結果に基づいて、前記無線タグの識別子と前記無線タグが装着された前記見守り対象物とを関連付けて管理する管理ステップと、
を含む見守り方法。
（付記８）
近距離無線信号を受信する近距離無線通信手段と、
管理装置から受信した捜索対象として指示された見守り対象物に装着された無線タグの識別子を保持する保持手段と、
前記近距離無線通信手段により無線タグから送信された近距離無線信号を受信して、前記近距離無線信号に含まれる識別子と、前記捜索対象として指示された見守り対象物に装着された無線タグの前記識別子とが一致することを判定する判定手段と、
前記判定手段により一致すると判定した識別子を、前記管理装置に通知する通知手段と、
を備える携帯端末。
（付記９）
前記捜索対象として指示された見守り対象物の情報を表示する表示手段をさらに備え、
前記表示手段は、
前記捜索対象として指示された見守り対象物に装着された無線タグの前記識別子を受信したことを表示する第１表示領域と、
前記捜索対象として指示された見守り対象物の情報の要求及び取得した情報を表示する第２表示領域と、
発見された前記捜索対象までの距離を表示する第３表示領域と、
前記捜索対象の発見の通知を指示するボタンを表示する第４表示領域と、
の少なくとも１つを含む付記８に記載の携帯端末。
（付記１０）
管理装置から受信した捜索対象として指示された見守り対象物に装着された無線タグの識別子を保持する保持ステップと、
近距離無線信号を受信する近距離無線通信手段により無線タグから送信された近距離無線信号を受信して、前記保持手段を参照して、前記近距離無線信号に含まれる識別子と、前記捜索対象として指示された見守り対象物に装着された無線タグの前記識別子とが一致することを判定する判定ステップと、
前記判定ステップにおいて一致すると判定した識別子を、前記管理装置に通知する通知通知ステップと、
を含む携帯端末の制御方法。
（付記１１）
管理装置から受信した捜索対象として指示された見守り対象物に装着された無線タグの識別子を保持する保持ステップと、
近距離無線信号を受信する近距離無線通信手段により無線タグから送信された近距離無線信号を受信して、前記保持手段を参照して、前記近距離無線信号に含まれる識別子と、前記捜索対象として指示された見守り対象物に装着された無線タグの前記識別子とが一致することを判定する判定ステップと、
前記判定ステップにおいて一致すると判定した識別子を、前記管理装置に通知する通知通知ステップと、
をコンピュータに実行させる携帯端末の制御プログラム。
（付記１２）
捜索対象として指示された見守り対象物に装着された無線タグの識別子を、登録された見守り対象物に装着された無線タグの識別子と識別可能に保持するデータベースと、
前記捜索対象として指示された見守り対象物に装着された無線タグの前記識別子を、携帯端末に送信する送信手段と、
前記捜索対象として指示された見守り対象物に装着された無線タグの前記識別子と一致する識別子を含む近距離無線信号を受信したことを示す、前記携帯端末からの通知に基づいて、前記無線タグの識別子と前記無線タグが装着された前記見守り対象物とを関連付けて管理する管理手段と、
を備える管理装置。
（付記１３）
前記データベースは、前記無線タグから受信した前記捜索対象として指示された見守り対象物に装着した無線タグの識別子と、前記無線タグの配布先を撮像した写真から認識した配布先とを保持する付記１２に記載の管理装置。
（付記１４）
捜索対象として指示された見守り対象物に装着された無線タグの識別子を、登録された見守り対象物に装着された無線タグの識別子と識別可能に保持するデータベースに基づいて、前記捜索対象として指示された見守り対象物に装着された無線タグの前記識別子を、携帯端末に送信する送信ステップと、
前記捜索対象として指示された見守り対象物に装着された無線タグの前記識別子と一致する識別子を含む近距離無線信号を受信したことを示す、前記携帯端末からの通知に基づいて、前記無線タグの識別子と前記無線タグが装着された前記見守り対象物とを関連付けて管理する管理ステップと、
を含む管理装置の制御方法。
（付記１５）
捜索対象として指示された見守り対象物に装着された無線タグの識別子を、登録された見守り対象物に装着された無線タグの識別子と識別可能に保持するデータベースに基づいて、前記捜索対象として指示された見守り対象物に装着された無線タグの前記識別子を、携帯端末に送信する送信ステップと、
前記捜索対象として指示された見守り対象物に装着された無線タグの前記識別子と一致する識別子を含む近距離無線信号を受信したことを示す、前記携帯端末からの通知に基づいて、前記無線タグの識別子と前記無線タグが装着された前記見守り対象物とを関連付けて管理する管理ステップと、
をコンピュータに実行させる管理装置の制御プログラム。
【図１】
0006440184.tif 000002
【図２Ａ】
0006440184.tif 000003
【図２Ｂ】
0006440184.tif 000004
【図２Ｃ】
0006440184.tif 000005
【図３Ａ】
0006440184.tif 000006
【図３Ｂ】
0006440184.tif 000007
【図４】
0006440184.tif 000008
【図５】
0006440184.tif 000009
【図６】
0006440184.tif 000010
【図７Ａ】
0006440184.tif 000011
【図７Ｂ】
0006440184.tif 000012
【図７Ｃ】
0006440184.tif 000013
【図７Ｄ】
0006440184.tif 000014
【図８】
0006440184.tif 000015
【図９】
0006440184.tif 000016
【図１０】
0006440184.tif 000017
【図１１】
0006440184.tif 000018
【図１２】
0006440184.tif 000019
【図１３】
0006440184.tif 000020
【図１４】
0006440184.tif 000021
【図１５】
0006440184.tif 000022